(57)【要約】【課題】地域に関連する情報を利用者に提供するエリア情報提供システムでは、利用者から複数の条件を入力させることで、提供する情報を、利用者の欲する情報に近くする手法が取られていた。しかしながら、利用者は多くの情報を入力しなければならないという手間があった。【解決手段】利用者の現在位置情報や、携帯端末に含まれた利用者の予定情報を使い、利用者の移動手段を推測する手段と、移動手段より、利用者の移動先を推測する手段と、その移動先での利用者が欲する情報のみを選択する手段を有することで、利用者の負担なく、利用者が欲する情報のみを利用者に提供する。【選択図】  図１
2004295625.tif 000002
【特許請求の範囲】
【請求項１】
エリア情報を送信する第一の情報処理装置と、前記エリア情報を受信する第二の情報処理装置にて構成されるエリア情報提供システムにおいて、
第一の情報処理装置は、
エリア情報と、その所在地情報とを対応づけて記憶部に記憶する手段と、
第二の情報処理装置を持つ利用者の位置情報から、利用者の移動手段を推測する手段と、
利用者の移動手段に特有なエリア情報を、記憶部から抽出する手段と、
記憶部から抽出したエリア情報を第二の情報処理装置に送信する手段と、
第二の情報処理装置は、
第一の情報処理装置からのエリア情報を受信する手段から構成されることを特徴としたエリア情報提供システム。
【請求項２】
エリア情報を送信する第一の情報処理装置と、前記エリア情報を受信する第二の情報処理装置にて構成されるエリア情報提供システムに用いられる第一の情報処理装置において、
第一の情報処理装置は、
エリア情報と、その所在地情報とを対応づけて記憶部に記憶する手段と、
第二の情報処理装置を持つ利用者の位置情報から、利用者の移動手段を推測する手段と、
利用者の移動手段に特有なエリア情報を、記憶部から抽出する手段と、
記憶部から抽出したエリア情報を第二の情報処理装置に送信する手段から構成されることを特徴とした情報処理装置。
【請求項３】
エリア情報を提供する第一の情報処理装置と、前記エリア情報を受信する第二の情報処理装置にて構成されるエリア情報提供システムに用いられる第二の情報処理装置において、
第二の情報処理装置は、
第二の情報処理装置を持つ利用者の移動手段を推測する第一の情報処理装置から、利用者の移動手段に特有なエリア情報を受信することを特徴とした情報処理装置。
【請求項４】
エリア情報を送信する第一の情報処理装置と、前記エリア情報を受信する第二の情報処理装置にて構成されるエリア情報提供システムにおいて、
第一の情報処理装置は、
エリア情報と、その所在地情報とを対応づけて記憶部に記憶する手段と、
第二の情報処理装置内に含まれる、第二の情報処理装置を持つ利用者の予定情報から、利用者の移動手段を推測する手段と、
利用者の移動手段に特有なエリア情報を、記憶部から抽出する手段と、
記憶部から抽出したエリア情報を第二の情報処理装置に送信する手段と、
第二の情報処理装置は、
第一の情報処理装置からのエリア情報を受信する手段から構成されることを特徴としたエリア情報提供システム。
【請求項５】
エリア情報を送信する第一の情報処理装置と、前記エリア情報を受信する第二の情報処理装置にて構成されるエリア情報提供システムに用いられる第一の情報処理装置において、
第一の情報処理装置は、
エリア情報と、その所在地情報とを対応づけて記憶部に記憶する手段と、
第二の情報処理装置内に含まれる、第二の情報処理装置を持つ利用者の予定情報から、利用者の移動手段を推測する手段と、
利用者の移動手段に特有なエリア情報を、記憶部から抽出する手段と、
記憶部から抽出したエリア情報を第二の情報処理装置に送信する手段から構成されることを特徴とした情報処理装置。
【請求項６】
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータを持つ利用者の位置情報から、利用者の移動手段を推測する手段と、
利用者の移動手段に特有なエリア情報を、記憶部から抽出する手段と、
記憶部から抽出したエリア情報を第二のコンピュータに送信する手段として機能させることを特徴としたエリア情報提供プログラム。
【請求項７】
エリア情報を送信する第一のコンピュータと、前記エリア情報を受信する第二のコンピュータにて構成されるエリア情報提供システムにおいて、
第二のコンピュータを、
第二のコンピュータを持つ利用者の移動手段を推測する第一のコンピュータから、利用者の移動手段に特有なエリア情報を受信する手段として機能させることを特徴としたエリア情報提供プログラム。
【請求項８】
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータ内に含まれる、第二のコンピュータを持つ利用者の予定情報から、利用者の移動手段を推測する手段と、
利用者の移動手段に特有なエリア情報を、記憶部から抽出する手段と、
記憶部から抽出したエリア情報を第二のコンピュータに送信する手段として機能させることを特徴としたエリア情報提供プログラム。
【発明の詳細な説明】
【０００１】
【発明の属する技術分野】
本発明は、エリア情報を利用者に提供するエリア情報提供システムにおいて、利用者の移動手段を推測し、推測した移動手段により、移動手段に特有なエリア情報を、利用者に提供することを特徴としたエリア情報提供システムに関するものである。
【０００２】
【従来の技術】
あらかじめ定めた地図上の範囲をエリアと定め、エリア内に利用者が入ったときに、利用者に対して、そのエリアに対応する店舗情報や観光地情報などを、利用者に通知する仕組みは存在していた。
【０００３】
また、利用者の移動先を推測し、移動先のエリアに対応した店舗情報や観光地情報などを利用者に通知する仕組みも存在していた。
【０００４】
例えば、下の特許文献１では、利用者が地区あるいはジャンルを選択し、自動的に検索キーを生成し、施設情報などを検索し、利用者の現在位置に近い情報のみを結果として表示する発明である。
【０００５】
下の特許文献２は、あらかじめ、利用者の旅行スケジュールを取得し、利用者のスケジュールに合わせて、適切と思われる店舗情報や観光地情報を利用者に通知する発明である。
【０００６】
下の特許文献３は、位置情報に対応した店舗情報と観光地情報とを、スクリプトにて記載して蓄積する情報処理装置を用意し、利用者が目的とする前記スクリプトをあらかじめダウンロードすることによって、利用者の望む時刻に、近辺の店舗情報や観光地情報が表示される発明である。
【０００７】
下の特許文献４は、利用者の移動先を、利用者の移動している方向や速度から推論し、移動先に位置する情報提供業者の中から、利用者があらかじめ登録したバス情報や飲食店情報などのカテゴリ分類に一致するもののみを利用者に配信する発明である。
【０００８】
下の特許文献５は、利用者が使った交通手段の、運賃情報と路線情報を使い、当該交通手段の停車地名情報に対応した、乗り継ぎ情報や乗換え情報を案内する発明である。
【０００９】
【特許文献１】
特開２００２−８２９８２号  「情報提供装置および方法と情報提供プログラムを記録した記録媒体」
【００１０】
【特許文献２】
特開２００２−４１６１２号  「情報配信方法及び装置」
【００１１】
【特許文献３】
特開２０００−２１５２１１号  「案内情報提示装置、案内情報提示処理方法、案内情報提示プログラムを記録した記録媒体、案内用スクリプトの記録媒体、案内用スクリプト生成装置、案内用スクリプトを用いた運行管理装置、方法およびプログラム記録媒体、案内用スクリプトを用いた移動時の時間調整装置、方法およびそのプログラムを用いた移動時の時間調整装置、方法およびそのプログラム記録媒体、案内プラン作成装置、方法およびそのプログラム記録媒体、案内情報提供装置、方法およびそのプログラム記録媒体」
【００１２】
【特許文献４】
特願平１４−２５７８１３号  「移動情報端末の位置変化予測に基づく情報配信サービスシステム」
【００１３】
【特許文献５】
特開平１１−９１５７０号  「交通手段に適用される案内表示システム及び案内表示方法」
【００１４】
【発明が解決しようとする課題】
従来の技術は、提供システムが利用者に対して提供する情報を、利用者が本当に欲する情報のみに絞ろうとすればするほど、情報を提供するシステム側に、利用者が多くの情報を与えねばならなかった。
【００１５】
例えば、上記特許文献４においては、利用者の位置情報より、移動速度を推測し、利用者の移動先を特定しているが、利用者が欲する情報に対応するカテゴリ属性を利用者が選択して、提供システムに送付することが必要であった。
【００１６】
また、上記特許文献５においては、利用者の運賃情報と路線情報から、次の停車位置を考慮して、路線案内情報を送信する仕組みがあるが、路線案内を不要とする利用者にとっては、無駄な情報であった。
【００１７】
さらに、旅行中など、様々な交通手段を乗り継いで目的地に行く場合には、乗り換えるたびに、交通手段や目的地を入力しなければ、適切な情報が得られないという面倒もあった。
【００１８】
本発明では、利用者の位置情報、予定情報を使い、移動手段を推測する機能、および、推測した移動手段に特有な情報のみを利用者に提供する。これにより、利用者の負担が少なく、利用者に適切な情報のみを提示し、上記問題を解決することを目的としている。
【００１９】
【課題を解決するための手段】
本発明は、地図情報と、利用者の現在位置情報、あるいは、利用者が携帯端末に持つ予定情報を使い、利用者の移動手段を推測する。推測した移動手段と、地図情報と時刻表情報を使い、利用者への情報提供が好ましいと思える位置を推測し、推測した位置に対応する移動手段に特有なエリア情報のみを、エリア情報データベースから取得して、利用者に提供するものである。
【００２０】
【発明の実施の形態】
本発明の基本的な形態を、図面を参照して説明する。図１は本発明を利用したエリア情報提供システムに含まれるエリア情報送信システムの構成を示したものである。図２は本発明を利用したエリア情報提供システムに含まれるエリア情報受信システムの構成を示したものである。
【００２１】
図１のエリア情報送信システム１０は、インターネット１１を介して、エリア情報登録用端末１２と、エリア情報受信システム１３とに、データ送受信可能に接続されている。また、エリア情報送信システム管理者端末２９とも、データ送受信可能に接続されている。
【００２２】
エリア情報とは、そのエリアに対応する情報を指す。例えば、エリアをＡ市とすると、エリア情報は、Ａ市内にある飲食店情報、観光地情報、建造物情報、交通機関情報、ショッピング施設情報、病院施設情報、スポーツ施設情報、教育施設情報、道路情報、天候情報などが相当する。
【００２３】
エリア情報登録用端末１２は、エリア情報に相当する店舗情報や観光地情報を、エリア情報データベース１６に登録するための登録用端末である。エリア情報登録用端末１２を利用して、エリア情報を登録する者は、エリア情報提供システムの管理者、あるいは、情報提供者となる。
【００２４】
エリア情報受信システム１３は、エリア情報送信システム１０からのエリア情報を受信する情報処理装置であり、利用者が持つ携帯電話やノートパソコンなどの持ち運び可能な情報処理機器となる。
【００２５】
エリア情報送信システム１０は、エリア情報登録部１４と、エリア情報送信部１５と、エリア情報データベース１６から構成される。
【００２６】
エリア情報登録部１４は、エリア情報登録用端末１２から入力される、店舗情報や観光地情報などのエリア情報を受信し、エリア情報データベース１６に登録する働きを持つ。
【００２７】
エリア情報送信部１５は、移動手段推測部１７と、移動先推測部２０と、エリア決定部２３と、エリア情報抽出部２５と、エリア情報選別部２６と、エリア情報提供部２８と、位置情報ログ１８と、移動手段推定データ１９と、時刻表情報２１と、地図情報２２と、エリア設定データ２４と、情報選別データ２７によって構成されている。
【００２８】
移動手段推測部１７は、エリア情報受信システム１３を持つ利用者の移動手段を、移動手段推定データ１９と、位置情報ログ１８と、エリア情報受信システム１３から送付される位置情報と予定情報を用いて推測する働きを持つ。
【００２９】
移動先推測部２０は、移動手段推測部１７で推測された移動手段と、エリア情報受信システム１３から送付される位置情報と予定情報と、時刻表情報２１と、地図情報２２を用いて、移動手段に特有な、移動先の位置を推測する働きを持つ。
【００３０】
エリア決定部２３は、エリア設定データ２４を用いて、移動先推測部２０で推測された移動先が含まれるエリアを決定する働きを持つ。
【００３１】
エリア情報抽出部２５は、エリア決定部２３で決定されたエリアに対応する情報を、エリア情報データベース１６から取得する働きを持つ。
【００３２】
エリア情報選別部２６は、エリア情報受信システム１３の位置情報と予定情報と、移動手段推測部１７で推測された移動手段と、情報選別データ２７を使い、移動手段に特有なエリア情報を、エリア情報抽出部２５で取得したエリア情報から選別する働きを持つ。
【００３３】
エリア情報提供部２８は、エリア情報選別部２６にて選別された情報を、エリア情報受信システム１３に送信する働きを持つ。
【００３４】
エリア情報データベース１６は、エリア情報登録部１４がエリア情報登録用端末１２から受信したエリア情報を記憶する場である。
【００３５】
位置情報ログ１８は、移動手段推測部１７が取得した、エリア情報受信システム１３を持つ利用者の位置情報を記憶する場である。位置情報ログ１８の一例を図１１に示す。
【００３６】
移動手段推定データ１９は、エリア情報受信システム１３を持つ利用者の移動手段を推測するためのデータである。移動手段推定データ１９の一例を図１２に示す。
【００３７】
時刻表情報２１は、各交通機関が持つ交通機関の時刻表の情報である。時刻表情報２１の一例を図１３に示す。
【００３８】
地図情報２２は、市町村名、各種交通機関情報などが記載された地図のデータベースである。一例としては、カーナビゲーションシステム内に含まれているものと同様になり、図１４に地図情報２２の一部を示す。
【００３９】
エリア設定データ２４は、エリアを設定するための基準を明記したものである。エリア設定データ２４の一例を図１５に示す。
【００４０】
情報選別データ２７は、移動手段ごとの特有な情報により、エリア情報を選別する基準を明記したもので、図１６に一例を示す。
【００４１】
システム管理者端末２９は、エリア情報送信システム１０の管理者用端末であり、移動手段推定データ１９と、エリア設定データ２４と、情報選別データ２７の内容の設定および変更を実施するためのものである。
【００４２】
図２は本発明を利用したエリア情報提供システムに含まれるエリア情報受信システム１３の構成を示したものである。
【００４３】
エリア情報受信システム１３は、インターネット１１を介して、エリア情報送信システム１０とデータ送受信可能に接続されている。
【００４４】
エリア情報受信システム１３は、入力装置３０と表示装置３１とＧＰＳ３７を備える。また、位置情報取得部３２と、予定情報取得部３４と、情報発信部３５と、情報受信部３６と、予定情報３３によって構成されている。
【００４５】
位置情報取得部３２は、ＧＰＳ３７より、エリア情報受信システム１３を持つ利用者の現在位置情報を取得する働きを持つ。
【００４６】
予定情報取得部３４は、エリア情報受信システム１３を持つ利用者の予定情報３３より、予定データを取得する働きを持つ。
【００４７】
情報発信部３５は、位置情報取得部３２で取得した位置情報と、予定情報取得部３４で取得した予定情報を、エリア情報送信システム１０に送信する働きを持つ。
【００４８】
情報受信部３６は、エリア情報送信システム１０から送付されたエリア情報を受信し、表示装置３１に表示させる働きを持つ。
【００４９】
次に、エリア情報発信システム１０内の、エリア情報登録部１４の処理の流れを、図３を参照しながら説明する。
【００５０】
ステップＳ３０１は、エリア情報登録部１４が、エリア情報登録用端末１２からのエリア情報登録の要求を受信するステップである。
【００５１】
ステップＳ３０２は、エリア情報登録部１４が、エリア情報登録のための画面を、エリア情報登録用端末１２に送信するステップである。エリア情報登録画面の一例は図４となる。
【００５２】
ステップＳ３０３は、エリア情報登録用端末１２から入力されたエリア情報の項目が適切なものかどうかを、エリア情報登録部１４が判断し、適切な場合は、ステップＳ３０４に移るステップである。適切でない場合は、ステップＳ３０６に移る。
【００５３】
ステップＳ３０４は、エリア情報登録部１４が、エリア情報登録用端末１２より入力されたエリア情報をエリア情報データベース１６に登録するステップである。エリア情報データベース１６の一例を図５に示す。
【００５４】
エリア情報データベース１６は、フィールドとして、緯度、経度、登録情報を持つ。登録情報は、さらに、店舗名、営業時間、定休日、駐車場、駐輪場、紹介文、案内文というサブフィールドによって構成されている。
【００５５】
なお、エリア情報データベース１６の登録情報として、電話番号、ホームページＵＲＬ、詳細地図情報、送迎情報、メニュー情報、収容人員情報、点字メニューの有無情報、手話対応情報、盲導犬入店許可情報を備えても良い。
【００５６】
ステップＳ３０５は、エリア情報登録部１４が、登録が完了した旨の情報を、エリア情報登録用端末１２に送信するステップである。
【００５７】
ステップＳ３０６は、エリア情報登録部１４が、エラーメッセージを、エリア情報登録用端末１２に送信するステップである。以上が、エリア情報登録部１４がエリア情報をエリア情報データベース１６に登録する処理の流れである。
【００５８】
次に、利用者がエリア情報受信システム１３を用いて、エリア情報送信システム１０からエリア情報を受信する処理の流れを、図６を参照しながら説明する。
【００５９】
ステップＳ６０１は、位置情報取得部３２が、ＧＰＳ３７を用いて、エリア情報受信システム１３の現在位置情報を取得するステップである。地図を示す図７のＡ地点がエリア情報受信システム利用者の現在地とすると、位置情報として”緯度Ｎ３４°７４’５０”、経度Ｅ１３４°７１’００””をＧＰＳ３７から取得する。この例では、ＧＰＳを用いて現在位置情報を取得しているが、携帯端末やＰＨＳを用いて現在位置情報を取得しても良い。
【００６０】
また、エリア情報を受信する要求としては、この実施形態では、利用者は意識せずに、エリア情報受信システム１３が独自に取得要求を、エリア情報送信システム１０に出すスマートプル型を記載している。しかし、利用者がエリア情報を欲するときにエリア情報受信システム１３から利用者がエリア情報取得要求を入力するプル型でも良いし、エリア情報受信システム１３を持つ利用者はまったく要求を出さず、エリア情報送信システム１０がエリア情報受信システム１３にエリア情報を送信するプッシュ型のどの型でも構わない。
【００６１】
ステップＳ６０２は、予定情報取得部３４が、エリア情報受信システムの利用者の予定情報３３に現在時刻以降の情報があるかを調べるステップである。現在時刻以降の情報が予定情報３３にあれば、ステップＳ６０３に移り、予定がない場合はＳ６０４に移る。予定情報３３の一例を図８に示す。
【００６２】
ステップＳ６０３は、予定情報取得部３４が、予定情報３３から現在時刻以降の予定情報を取得するステップである。本日の予定が掲載されている予定情報を図８とすると、現在日時である２００３年２月１０日１１時２０分以降の予定情報として、”時刻：１１：２０、場所：移動中、時刻１１：４０、場所：姫路、時刻１１：４０−１２：４０、内容：昼食”が取得される。
【００６３】
ステップＳ６０４は、情報発信部３５が、ステップＳ６０１で取得した位置情報と、ステップＳ６０３で取得した予定情報を、エリア情報送信システム１０に送信するステップである。移動速度を感知する装置を、エリア情報受信システム１３内に備え、さらに、移動速度情報をエリア情報送信システム１０に送信することも可能である。
【００６４】
ステップＳ６０５は、情報受信部３６が、エリア情報送信システム１０から情報を受信するステップである。
【００６５】
ステップＳ６０６は、情報受信部３６が、ステップＳ６０５で受信したエリア情報を、表示装置３１に表示するステップである。表示装置にエリア情報が表示された状態を示した図が図９となる。以上が、利用者がエリア情報受信システム１３を用いて、エリア情報を受信する処理の流れである。
【００６６】
次に、エリア情報送信システム１０が、エリア情報受信システム１３にエリア情報を送信する処理の流れを、図１０を参照しながら説明する。
【００６７】
ステップＳ１００１は、移動手段推測部１７が、エリア情報受信システム１３から位置情報と予定情報を受信するステップである。エリア情報受信システム１３を持つ利用者が、図７のＡ地点に存在し、利用者の予定情報が図８である時、移動手段推測部１７が受け取る情報は、”緯度：Ｎ３４°７４’５０”、経度：Ｅ１３４°７１’００”、予定：  時刻：１１：２０、場所：移動中、時刻１１：４０、場所：姫路、時刻１１：４０−１２：４０、内容：昼食”となる。エリア情報受信システム１３が移動速度を感知する装置を備えている場合は、このステップ内で移動速度も受信する。
【００６８】
ステップＳ１００２は、移動手段推測部１７が、ステップＳ１００１で受信した位置情報と現在時刻を使い、推定移動速度と移動方向を算出し、位置情報と現在時刻と推定移動速度と移動方向を、位置情報ログ１８に記憶するステップである。位置情報ログ１８の一例を図１１に示す。
【００６９】
推定移動速度の算出例を示すと、直前の経度をＸ１、現在の経度をＸ２、直前の緯度をＹ１、現在の緯度をＹ２、直前の時刻をＴ１、現在の時刻をＴ２とすると、移動速度Ｓは、移動距離Ｄを（Ｔ２−Ｔ１）で除算したもので求められ、移動距離Ｄは、（Ｘ１−Ｘ２）の２乗と、（Ｙ１−Ｙ２）の２乗を加算したものの平方根によって求められる。
【００７０】
ステップＳ１００３は、移動手段推測部１７が、ステップＳ１００１で受信した位置情報と予定情報と、ステップＳ１００２で算出した推定移動速度と移動方向と、移動手段推定データ１９と時刻表情報２１を用いて、利用者の移動手段を推測するステップである。図７のＡ地点に存在する利用者の場合、ステップＳ１００２にて、移動速度１７９ｋｍ／ｈと算出され、経度と緯度と地図情報２２を照合することで、位置が線路上ということがわかる。これらを移動手段推定データ１９と照らし合わせることにより、利用者の移動手段を「新幹線」と推測する。
【００７１】
次に「新幹線」の時刻表を時刻表情報２１から取得し、新幹線の時刻表と、該当の位置を照合し、利用者が乗車している新幹線号名を「ひかり１２３４号」であることがわかる。
【００７２】
移動手段推定データ１９の一例は図１２となる。推測の一例を上げれば、位置が高速道路上であれば、移動手段は車かバスかバイクと推測し、移動速度が４００ｋｍ／ｈ以上であれば位置に関係なく、移動手段を飛行機と推測する。
【００７３】
また、位置情報ログ１２に記憶される経度と緯度情報により、移動手段を推測するための位置をより正確に把握することができる。例えば、過去の経度と緯度が、東海道新幹線の経路と常に一致していれば、位置は新幹線の線路上と定めることができる。
【００７４】
移動手段推定データ１９は、エリア情報送信システム１０の管理者が、エリア情報送信システム管理者用端末２９より、内容の設定や変更が可能となる。
【００７５】
ステップＳ１００４は、移動先推測部２０が、ステップＳ１００１で受信した位置情報と、ステップＳ１００３で推測した移動手段である「ひかり１２３４号」と、情報選別データ２７と、時刻表情報２１と、地図情報２２を用いて、移動手段に特有な情報のひとつである利用者の移動先を推測するステップである。
【００７６】
図７のＡ地点に存在する当該利用者の移動手段は、ステップＳ１００３により、「新幹線」であり、号名が「ひかり１２３４号」ということが推測された。図１６である情報選別データ２７を用いて、「新幹線」が持つ特有の位置情報として、「次の停車駅」が取得される。さらに、時刻表情報２１を利用することで、利用者の移動手段に特有な位置情報として、次の停車駅である「姫路駅」が得られる。
【００７７】
また、予定情報３３を利用して、姫路駅下車を推測し、利用者の移動先位置を「姫路駅」と推測しても良い。
【００７８】
なお、移動先位置推測部２０は、時刻表情報２１と、利用者の位置情報と、地図情報２２を照合することで、予定情報と異なった行動をした場合に、情報選別データ２７と時刻表情報２１を参照にして、移動手段に特有な位置情報である、次の停車駅、停留所、サービスエリア、休憩所を取得することも可能である。時刻表情報２１の一例を図１３に示す。また、地図情報２２の一例を図１４に示す。
【００７９】
移動先位置推測部２０で推測される移動手段に特有な情報の他の例としては、移動手段推定データにより、移動手段が「飛行機」であることがわかれば飛行機の時刻表と、位置情報により、便名を特定して、次の着陸空港を推定する。移動手段推定データにより、移動手段が「船」であれば、船舶の時刻表と、位置情報により、便名を特定し、時刻表における次の停泊港を推測する。同様に、移動手段推定データにより、移動手段が「バス」であれば、バスの時刻表と、便名を特定し、時刻表における次の停留所となる。
【００８０】
移動手段推定データにより、移動手段が、高速道路上の車であれば、移動方向から、次のサービスエリアやインターチェンジが移動先として推測される。移動手段が徒歩であれば、ここでは現在位置周辺が特有な移動位置となる。
【００８１】
ステップＳ１００５は、エリア決定部２３が、ステップＳ１００４で推測した移動手段に特有な移動先位置が含まれるエリアを、エリア設定データ２４を用いて決定するステップである。エリア設定データ２４を示す図１５では、「指定地点を中心に半径１０キロ以内」としており、ステップＳ１００４で推測した移動先である「姫路駅」を中心にした周囲１０キロをエリアとして設定する。
【００８２】
なお、エリア設定データ２４には、「市内」「町内」などの自治体での区分けや、学区や、組織が任意に定めた範囲が登録されても良い。エリア設定データ２４は、エリア情報送信システム１０の管理者が、エリア情報送信システム管理者用端末２９より、内容の設定や変更が可能となる。
【００８３】
ステップＳ１００６は、エリア情報抽出部２５が、ステップＳ１００５で決定したエリアに含まれるエリア情報を、エリア情報データベース１６から抽出するステップである。ステップＳ１００４で推測した移動先である「姫路駅」を中心に半径１０キロ以内の情報で、かつ、予定情報３３に含まれた「昼食」をキーとして、エリア情報データベース１６から飲食店情報である、「レストランＸ」と「ＺＺ食堂」と「ＹＹラーメン」が取得される。取得には、移動先の「姫路駅」の位置情報と、エリア情報データベース１６に含まれる各データの位置情報である経度情報と緯度情報が使われる。
【００８４】
エリア情報データベース１６に含まれる店舗の位置関係は、図７内に示す。なお、図７内で姫路駅を中心とした円の中がエリアに相当する。
【００８５】
ステップＳ１００７は、エリア情報選別部２６が、情報選別データ２７を利用して、移動手段に特有な情報を、ステップＳ１００６で抽出したエリア情報から選別するステップである。情報選別データ２７の一例は図１６となり、”移動手段名”と”特有な位置情報”と”移動可能距離”が対応づけて設定されている。
【００８６】
図７のＡ地点に存在する利用者は、ステップＳ１００３で新幹線での移動と推測されたので、”新幹線”に対応する特有な情報として、”次の停車駅”、”１ｋｍ以内”を取得する。
【００８７】
そして、ステップＳ１００６で抽出したエリア情報である”レストランＸ”と”ＺＺ食堂”と”ＹＹラーメン”の情報を、図１６に示される情報選別データ２７から取得した移動可能距離である”１ｋｍ以内”の条件と照合する。
【００８８】
情報選別データ２７の条件を利用して、エリア情報選別部２６が、移動手段「新幹線」に適切と思える”ＺＺ食堂”を選別する。情報選別データ２７は、エリア情報送信システム１０の管理者が、エリア情報送信システム管理者用端末２９より、内容の設定や変更が可能となる。
【００８９】
このエリア情報選別手段２６では、移動手段が、高速道路上の”車”である利用者に対して、次のインターチェンジから５ｋｍ以内の店舗を表示することや、さらに、車という移動手段から、駐車場を備えない店舗を表示しない機能を備えることも可能である。
【００９０】
ステップＳ１００８は、エリア情報提供部２８が、ステップＳ１００７で選別された情報を、エリア情報受信システム１３に送信するステップである。エリア情報データベース１６に含まれている”ＺＺ食堂”の”案内分”については”徒歩用”の内容が選択され、エリア情報受信システム１３に送信される。”新幹線”や”電車”利用者は、姫路駅で下車しなければ、”ＺＺ食堂”を利用できないため、”徒歩用”を選択する。以上が、エリア情報送信システム１０が、エリア情報受信システム１３にエリア情報を送信する処理の流れである。
【００９１】
これら一連の処理により、エリア情報受信システムを持つ利用者は、自分の移動先において、自分の移動手段に適した情報のみを受け取ることが可能となる。
【００９２】
また、エリア情報データベース１６内に、エリアレベルフィールドを設け、利用者と店舗の距離によって、情報の送信を制御する方法も可能である。例えば、利用者の位置から１００ｍ以内に店舗があれば、利用者に店舗情報を通知する場合にエリアレベルを１、利用者の位置から１００ｍ以上２００ｍ以内に店舗があれば、利用者に店舗情報を通知する場合にエリアレベルを２、利用者の位置から２００ｍ以上３００ｍ以内に店舗があれば、利用者に店舗情報を通知する場合をエリアレベル３と、あらかじめ定める。
【００９３】
エリアレベルフィールドを設けたエリア情報データベース１６を示す図１７では、”レストランＸ”がエリアレベル１、”ＺＺ食堂”がエリアレベル２、”ＹＹラーメン”がエリアレベル３となっている。
【００９４】
図１８において、利用者から１００ｍ以内のＡ区域に”レストランＸ”が位置すれば、利用者に”レストランＸ”の情報が送信されるが、Ｂ区域あるいはＣ区域に位置した場合は送信されない。同様に、利用者から１００ｍ以上２００ｍ以内であるＢ区域に、”ＺＺ食堂”が位置すれば、”ＺＺ食堂”の情報が利用者に送信されるが、Ａ区域あるいはＣ区域に位置した場合は送信されない。利用者から２００ｍ以上３００ｍ以内であるＣ区域に、”ＹＹラーメン”が位置すれば、”ＹＹラーメン”の情報が利用者に送信されるが、Ａ区域あるいはＢ区域に位置した場合は送信されない。
【００９５】
これにより、利用者からの距離に依存した情報送信が可能となる。これは異動手段が推測できない場合にも利用することができる。
【００９６】
なお、上記実施形態を機能させるプログラムを、おのおのの情報装置にインストールして、情報機器を機能させることによっても実現は可能である。
（付記１）
エリア情報を送信する第一の情報処理装置と、前記エリア情報を受信する第二の情報処理装置にて構成されるエリア情報提供システムにおいて、
第一の情報処理装置は、
エリア情報と、その所在地情報とを対応づけて記憶部に記憶する手段と、
第二の情報処理装置を持つ利用者の位置情報から、利用者の移動手段を推測する手段と、
利用者の移動手段に特有なエリア情報を、記憶部から抽出する手段と、
記憶部から抽出したエリア情報を第二の情報処理装置に送信する手段と、
第二の情報処理装置は、
第一の情報処理装置からのエリア情報を受信する手段から構成されることを特徴としたエリア情報提供システム。
（付記２）
エリア情報を送信する第一の情報処理装置と、前記エリア情報を受信する第二の情報処理装置にて構成されるエリア情報提供システムに用いられる第一の情報処理装置において、
第一の情報処理装置は、
エリア情報と、その所在地情報とを対応づけて記憶部に記憶する手段と、
第二の情報処理装置を持つ利用者の位置情報から、利用者の移動手段を推測する手段と、
利用者の移動手段に特有なエリア情報を、記憶部から抽出する手段と、
記憶部から抽出したエリア情報を第二の情報処理装置に送信する手段から構成されることを特徴とした情報処理装置。
（付記３）
エリア情報を提供する第一の情報処理装置と、前記エリア情報を受信する第二の情報処理装置にて構成されるエリア情報提供システムに用いられる第二の情報処理装置において、
第二の情報処理装置は、
第二の情報処理装置を持つ利用者の移動手段を推測する第一の情報処理装置から、利用者の移動手段に特有なエリア情報を受信することを特徴とした情報処理装置。
（付記４）
エリア情報を送信する第一の情報処理装置と、前記エリア情報を受信する第二の情報処理装置にて構成されるエリア情報提供システムにおいて、
第一の情報処理装置は、
エリア情報と、その所在地情報とを対応づけて記憶部に記憶する手段と、
第二の情報処理装置内に含まれる、第二の情報処理装置を持つ利用者の予定情報から、利用者の移動手段を推測する手段と、
利用者の移動手段に特有なエリア情報を、記憶部から抽出する手段と、
記憶部から抽出したエリア情報を第二の情報処理装置に送信する手段と、
第二の情報処理装置は、
第一の情報処理装置からのエリア情報を受信する手段から構成されることを特徴としたエリア情報提供システム。
（付記５）
エリア情報を送信する第一の情報処理装置と、前記エリア情報を受信する第二の情報処理装置にて構成されるエリア情報提供システムに用いられる第一の情報処理装置において、
第一の情報処理装置は、
エリア情報と、その所在地情報とを対応づけて記憶部に記憶する手段と、
第二の情報処理装置内に含まれる、第二の情報処理装置を持つ利用者の予定情報から、利用者の移動手段を推測する手段と、
利用者の移動手段に特有なエリア情報を、記憶部から抽出する手段と、
記憶部から抽出したエリア情報を第二の情報処理装置に送信する手段から構成されることを特徴とした情報処理装置。
（付記６）
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータを持つ利用者の位置情報から、利用者の移動手段を推測する手段と、
利用者の移動手段に特有なエリア情報を、記憶部から抽出する手段と、
記憶部から抽出したエリア情報を第二のコンピュータに送信する手段として機能させることを特徴としたエリア情報提供プログラム。
（付記７）
エリア情報を送信する第一のコンピュータと、前記エリア情報を受信する第二のコンピュータにて構成されるエリア情報提供システムにおいて、
第二のコンピュータを、
第二のコンピュータを持つ利用者の移動手段を推測する第一のコンピュータから、利用者の移動手段に特有なエリア情報を受信する手段として機能させることを特徴としたエリア情報提供プログラム。
（付記８）
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータ内に含まれる、第二のコンピュータを持つ利用者の予定情報から、利用者の移動手段を推測する手段と、
利用者の移動手段に特有なエリア情報を、記憶部から抽出する手段と、
記憶部から抽出したエリア情報を第二のコンピュータに送信する手段として機能させることを特徴としたエリア情報提供プログラム。
（付記９）
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータを持つ利用者の位置情報から、利用者の移動手段を推測する手段と、
利用者の移動手段に特有なエリア情報を、記憶部から抽出する手段と、
記憶部から抽出したエリア情報を第二のコンピュータに送信する手段として機能させるエリア情報提供プログラムを、記憶したことを特徴とするコンピュータ読み取り可能な記憶媒体。
（付記１０）
エリア情報を送信する第一のコンピュータと、前記エリア情報を受信する第二のコンピュータにて構成されるエリア情報提供システムにおいて、
第二のコンピュータを、
第二のコンピュータを持つ利用者の移動手段を推測する第一のコンピュータから、利用者の移動手段に特有なエリア情報を受信する手段として機能させるエリア情報提供プログラムを、記憶したことを特徴とするコンピュータ読み取り可能な記憶媒体。
（付記１１）
エリア情報を送信する第一のコンピュータと、前記エリア情報を受信する第二のコンピュータにて構成されるエリア情報提供システムにおいて、
第一のコンピュータを、
エリア情報と、その所在地情報とを対応づけて記憶部に記憶する手段と、
第二のコンピュータ内に含まれる、第二のコンピュータを持つ利用者の予定情報から、利用者の移動手段を推測する手段と、
利用者の移動手段に特有なエリア情報を、記憶部から抽出する手段と、
記憶部から抽出したエリア情報を第二のコンピュータに送信する手段として機能させるエリア情報提供プログラムを、記憶させたことを特徴とするコンピュータ読み取り可能な記憶媒体。
【００９７】
【発明の効果】
本発明を用いることで、利用者は、様々な情報を入力したり選択したりすることなく、欲するエリア情報を取得できる。また、移動手段を推測することで、利用者の次の停止可能場所の情報を推測でき、停止不可能位置に相当する無駄な情報の送受信を避けることが可能となる。
【図面の簡単な説明】
【図１】本発明の実施形態における、エリア情報送信システムの構成を示した図
【図２】本発明の実施形態における、エリア情報受信システムの構成を示した図
【図３】本発明の実施形態における、エリア情報登録の処理の流れを示したフローチャート
【図４】本発明の実施形態における、エリア情報登録画面の一例を示した図
【図５】本発明の実施形態における、エリア情報データベースの一例を示した図
【図６】本発明の実施形態における、エリア情報受信システムの処理の流れを示したフローチャート
【図７】本発明の実施形態における、利用者の位置を示した図
【図８】本発明の実施形態における、利用者の予定情報を示した図
【図９】本発明の実施形態における、エリア情報受信システムの表示画面を示した図
【図１０】本発明の実施形態における、エリア情報送信システムの処理の流れを示したフローチャート
【図１１】本発明の実施形態における、位置情報ログの一例を示した図
【図１２】本発明の実施形態における、移動手段推定データの一例を示した図
【図１３】本発明の実施形態における、時刻表情報の一例を示した図
【図１４】本発明の実施形態における、地図情報の一例を示した図
【図１５】本発明の実施形態における、エリア設定データの一例を示した図
【図１６】本発明の実施形態における、情報選別データの一例を示した図
【図１７】本発明の実施形態における、エリアレベルフィールドを備えたエリア情報データベースの一例を示した図
【図１８】本発明の実施形態における、利用者からの距離に応じた情報送信の説明図
【符号の説明】
１０  エリア情報送信システム
１１  インターネット
１２  エリア情報登録用端末
１３  エリア情報受信システム
１４  エリア情報登録部
１５  エリア情報送信部
１６  顧客データベース
１７  移動手段推測部
１８  位置情報ログ
１９  移動手段推定データ
２０  移動先推測部
２１  時刻表情報
２２  地図情報
２３  エリア決定部
２４  エリア設定データ
２５  エリア情報抽出部
２６  エリア情報選別部
２７  情報選別データ
２８  エリア情報提供部
２９  エリア情報送信システム管理者用端末
３０  入力装置
３１  表示装置
３２  位置情報取得部
３３  予定情報
３４  予定情報取得部
３５  情報発信部
３６  情報受信部
３７  ＧＰＳ
【図１】
2004295625.tif 000003
【図２】
2004295625.tif 000004
【図３】
2004295625.tif 000005
【図４】
2004295625.tif 000006
【図５】
2004295625.tif 000007
【図６】
2004295625.tif 000008
【図７】
2004295625.tif 000009
【図８】
2004295625.tif 000010
【図９】
2004295625.tif 000011
【図１０】
2004295625.tif 000012
【図１１】
2004295625.tif 000013
【図１２】
2004295625.tif 000014
【図１３】
2004295625.tif 000015
【図１４】
2004295625.tif 000016
【図１５】
2004295625.tif 000017
【図１６】
2004295625.tif 000018
【図１７】
2004295625.tif 000019
【図１８】
2004295625.tif 000020